(57)【要約】【課題】一定の強度を保ちつつ軽量化されたことにより環境負荷が低減され、商品等内容物の出し入れ作業が効率化される段ボール箱の提供を目的とするものである。【解決手段】本発明は、対向する前壁及び後壁並びに対向する左右一対の側壁を有する四角筒状部と、上記各側壁の各上縁を基端縁として延出する一対の上面側内フラップと、上記前壁及び後壁の各上縁を基端縁として延出する一対の上面側外フラップと、各側壁の各下縁を基端縁として延出する一対の下面側内フラップと、前壁及び後壁の各下縁を基端縁として延出する一対の下面側外フラップとを備える段ボール箱であって、上記上面側内フラップが、この上面側内フラップの基端縁と後端縁を二辺とする矩形形状から、前端縁側先端部を切り欠いた形状を有することを特徴とする段ボール箱である。【選択図】図１
2010189047.tif 000002
【特許請求の範囲】
【請求項１】
対向する前壁及び後壁並びに対向する左右一対の側壁を有する四角筒状部と、
上記各側壁の各上縁を基端縁として延出する一対の上面側内フラップと、
上記前壁及び後壁の各上縁を基端縁として延出する一対の上面側外フラップと、
各側壁の各下縁を基端縁として延出する一対の下面側内フラップと、
前壁及び後壁の各下縁を基端縁として延出する一対の下面側外フラップと
を備え、
上記上面側及び下面側内フラップを四角筒状部の内側に直角に折り込み、その外側に上面側及び下面側外フラップを四角筒状部の内側に直角に折り込むことにより、各内フラップの外側に各外フラップが重ねられた状態で封緘され直方体形状を形成する段ボール箱であって、
上記上面側内フラップが、
３ｃｍ以上の長さを有し基端縁と直角に形成される直線状の前端縁と、
側壁の幅の半分の長さを有し基端縁と直角に形成される直線状の後端縁と、
３ｃｍ以上の長さを有し後端縁と直角に形成される直線状の先端縁と
を有し、
この上面側内フラップの基端縁と後端縁を二辺とする矩形形状から、前端縁側先端部を切り欠いた形状を有することを特徴とする段ボール箱。
【請求項２】
上記上面側内フラップの基端縁中点からの基端縁垂直方向長さ（ｄ）が、上面側内フラップの後端縁の長さの１／２以上である請求項１の段ボール箱。
【請求項３】
上記前壁及び後壁の幅をａ（ｃｍ）、側壁の幅をｂ（ｃｍ）及び前壁と後壁と側壁の高さをｃ（ｃｍ）とした場合に、下記数式（１）及び／又は数式（２）を満たす請求項１又は請求項２の段ボール箱。
（１）ｄ＜（ａ＋４）／４
（２）ｂ＜２ｃ
【請求項４】
上記上面側内フラップが、前端縁側先端部を直線又は凸状曲線によって切り欠いた形状を有する請求項１、請求項２又は請求項３に記載の段ボール箱。
【発明の詳細な説明】
【技術分野】
【０００１】
本発明は、内容物の出し入れ作業が効率化され、かつ軽量化及び省資源化により環境負荷が低減される段ボール箱に関するものである。
【背景技術】
【０００２】
従来、段ボール箱は、輸送から商品陳列までの間、複数の商品をまとめて収容する容器として、あるいは家電製品、鉢植え等の重量物商品を販売する際の包装容器として用いられている。従来の一般的な段ボール箱は、対向する前壁及び後壁並びに対向する左右一対の側壁を有する四角筒状部と、上記各側壁の各上縁を基端縁として延出する一対の上面側内フラップと、上記前壁及び後壁の各上縁を基端縁として延出する一対の上面側外フラップと、各側壁の各下縁を基端縁として延出する一対の下面側内フラップと、前壁及び後壁の各下縁を基端縁として延出する一対の下面側外フラップとを備えている。このような段ボール箱は、上記上面側及び下面側内フラップを四角筒状部の内側に直角に折り込み、上面側及び下面側外フラップを四角筒状部の内側に直角に折り込み、各内フラップの外側に各外フラップが重ねられた状態で封緘されることで直方体状を形成するように構成されている。この際、下面側の内フラップ及び外フラップが段ボール箱の底板を形成し、上面側の内フラップ及び外フラップが段ボール箱の蓋を形成することとなる。
【０００３】
段ボール箱は、商品等の収容又は包装容器として広く用いられており、商品等を出し入れする場合は、下面側フラップは、底板として閉じた状態で固定され、上面側内フラップ及び上面側外フラップを開いた状態で行うこととなる。このような商品等の出し入れの際に上面側内フラップ又は上面側外フラップは、十分に開いた状態で静止しな。そのため、特に上面側内フラップが作業者の腕や商品等に当たって作業の妨げとなる場合がある。このような不都合を解消すべく、段ボール箱の商品等内容物を簡単に取り出すことができるように、例えば側壁にミシン目を設け容易に側壁を裂くことができる構造を有する段ボール箱も発明されている（例えば、実用新案登録第３０５８５５２号公報等）。しかしながら、このような構造を有する段ボール箱においても、内容物の取り出しやすさは向上されるものの、段ボール箱内へ内容物を入れる際の不便さは解消されていない。
【０００４】
また、段ボール箱は、商品等の収容又は包装容器として流通業界等を始めとして、大量に利用されており、流通コストの削減及び輸送時の二酸化炭素排出抑制等、環境面への配慮から軽量化及び省資源化が求められている。しかしながら、一方で、段ボール箱は、商品等内容物を保護する点から、クッション性等の厚みや、一定の強度が必要であるため、強度を保ちつつ、軽量化を行うことが必要とされている。
【先行技術文献】
【特許文献】
【０００５】
【特許文献１】実用新案登録第３０５８５５２号公報
【発明の概要】
【発明が解決しようとする課題】
【０００６】
本発明はこれらの不都合に鑑みてなされたものであり、必要とされる一定の強度を保ちつつ軽量化されたことにより環境負荷が低減され、商品等内容物の出し入れ作業が効率化される段ボール箱の提供を目的とするものである。
【課題を解決するための手段】
【０００７】
上記課題を解決するためになされた発明は、
対向する前壁及び後壁並びに対向する左右一対の側壁を有する四角筒状部と、
上記各側壁の各上縁を基端縁として延出する一対の上面側内フラップと、
上記前壁及び後壁の各上縁を基端縁として延出する一対の上面側外フラップと、
各側壁の各下縁を基端縁として延出する一対の下面側内フラップと、
前壁及び後壁の各下縁を基端縁として延出する一対の下面側外フラップと
を備え、
上記上面側及び下面側内フラップを四角筒状部の内側に直角に折り込み、その外側に上面側及び下面側外フラップを四角筒状部の内側に直角に折り込むことにより、各内フラップの外側に各外フラップが重ねられた状態で封緘され直方体形状を形成する段ボール箱であって、
上記上面側内フラップが、
３ｃｍ以上の長さを有し基端縁と直角に形成される直線状の前端縁と、
側壁の幅の半分の長さを有し基端縁と直角に形成される直線状の後端縁と、
３ｃｍ以上の長さを有し後端縁と直角に形成される直線状の先端縁と
を有し、
この上面側内フラップの基端縁と後端縁を二辺とする矩形形状から、前端縁側先端部を切り欠いた形状を有することを特徴とする段ボール箱である。
【０００８】
当該段ボール箱は、上面側内フラップが、矩形形状から所定の大きさを残して前端縁側先端部を切り欠いた形状を有しているため、この切欠部分の段ボール箱の軽量化及び省資源化が実現される。当該上面側内フラップは、基端縁と直角に形成される直線状の前端縁を有していることから、側壁方向の押し圧力に対する強度の低減を防ぐことができる。更には、当該上面側内フラップは、後端縁と直角に形成される直線状の先端縁を有し、後端縁側先端部が直角に形成されているため、従来の段ボールシート加工装置を用いて加工時の直角矯正を行うことができ、歩留まりの少ない正確な加工を容易に行うことができる。
【０００９】
また、当該段ボール箱は、上面側内フラップが、矩形形状から所定の大きさを残して前端縁側先端部分を切り欠いた形状を有しているため、段ボール箱前壁側から内容物の出し入れ作業をする際、上面側内フラップが外側に完全に開いて静止していない状態でも、前端縁側先端部の切欠部分にちょうど作業者の腕等が通ることによって、上面側内フラップと腕又は商品等との接触を防ぐことができ、容易に内容物の出し入れ作業を行うことができる。
【００１０】
上記上面側内フラップの基端縁中点からの基端縁垂直方向長さ（ｄ）は、上面側内フラップの後端縁の長さの１／２以上であるとよい。このように、上面側内フラップの基端縁中点からの基端縁垂直方向長さ（ｄ）が所定の大きさを有していることで、公知の通常の段ボール箱自動製函機を用いて製函することができるため作業性に優れ、かつ既存の設備を改良することなく当該段ボール箱を製造することができる。
【００１１】
上記前壁及び後壁の幅をａ（ｃｍ）、側壁の幅をｂ（ｃｍ）及び前壁と後壁と側壁の高さをｃ（ｃｍ）とした場合に、下記数式（１）及び／又は数式（２）を満たしていることが好ましい。
（１）ｄ＜（ａ＋４）／４
（２）ｂ＜２ｃ
【００１２】
当該段ボール箱のサイズが上記関係式を満たしたとき、作業者は前壁側の上面側外フラップのみを開封しただけで容易に当該段ボール箱内の内容物の確認をすることができる。即ち、当該段ボール箱によれば、作業者が段ボール箱を覗き込む、あるいは両方の上面側外フラップを開封することなく内容物の確認をすることができるため作業効率が向上し、又内容物の取り出し漏れを防ぐことができる。
【００１３】
上記上面側内フラップは、前端縁側先端部を直線又は凸状曲線によって切り欠いた形状を有していることが好ましい。上記上面側内フラップが、前端縁側先端部分を直線によって切り欠いた形状を有している場合、当該上面側内フラップの強度、ひいては当該段ボール箱の強度が特に良好に保たれ、又前端縁側先端部の切り欠きを容易に行うことが可能であるため製造効率が向上する。上記上面側内フラップが、前端縁側先端部を凸状曲線によって切り欠いた形状を有している場合、内容物の出し入れ作業を行う際の上面側内フラップとの接触を最小にすることができ、作業効率が特に向上する。また、前端縁側先端部の切り欠き面積が大きくなるため、当該段ボール箱の軽量化及び省資源化に最も寄与し、環境負荷を特に低減することが可能となる。
【００１４】
なお、本発明における「前」「後」「上」「下」とは、発明の説明のため通常用いられる方向として便宜上定めたものであって、製品として使用される際にこの方向に限定されるものではない。
【発明の効果】
【００１５】
以上説明したように、本発明の段ボール箱によれば、従来の加工組立装置を用いて容易に成形加工することができ、かつ従来の段ボール箱の強度を確保しつつ、商品等内容物の出し入れ作業を効率化し、軽量化及び省資源化されたことにより環境負荷を低減することができる。
【図面の簡単な説明】
【００１６】
【図１】本発明の一実施形態に係る段ボール箱を示す展開図
【図２】図１の段ボール箱を示す模式的斜視図
【図３】図１の段ボール箱の封緘状態から前壁側の上面側外フラップを垂直に開封した状態を示す模式的平面図（ａ）及び断面図（ｂ）
【発明を実施するための形態】
【００１７】
以下、適宜図面を参照しつつ、本発明の実施の形態を詳説する。
【００１８】
図１及び図２の段ボール箱１は、対向する前壁２及び後壁３並びに対向する左右一対の側壁４を有する四角筒状部と、上記各側壁４の各上縁を基端縁１０として延出する一対の上面側内フラップ５と、上記前壁２及び後壁３の各上縁を基端縁として延出する一対の上面側外フラップ６と、各側壁４の各下縁を基端縁として延出する一対の下面側内フラップ７と、前壁２及び後壁３の各下縁を基端縁として延出する一対の下面側外フラップ８とを備えている。
【００１９】
この段ボール箱１は、封緘状態で直方体形状に形成され、均一な厚さの一枚の紙製段ボールを用いて形成される。当該段ボール箱１のサイズとしては特に限定されず、内容物である商品の大きさ等を考慮して適宜設定される。なお、図１の段ボール箱１中の実線は折り目を示しており、これらの折り目には折り曲げを容易にする罫線加工が施されていることが好ましい。
【００２０】
前壁２及び後壁３は、同型及び同サイズの矩形形状を有している。一対の側壁４も同型及び同サイズの矩形形状を有している。また、前壁２、後壁３及び一組の側壁４は等しい高さに形成されており、これらによって、直方体形状を有する四角筒状部が形成される。
【００２１】
当該後壁３は、一対の側縁のうち側壁４と接していない側の側縁に糊代部９を備えている。当該糊代部９によれば、四角筒状部を形成する際に、当該糊代部９を他の側壁４の側縁と後壁３の側縁が接するように側壁４の内面に接着させることにより、四角筒状部を筒状に固定することができる。
【００２２】
当該段ボール箱１は、上面側内フラップ５及び下面側内フラップ７を四角筒状部の内側に直角に折り込み、続けて上面側外フラップ６及び下面側外フラップ８を四角筒状部の内側に直角に折り込み、各内フラップの外側に各外フラップが重ねられた状態で封緘されることで直方体形状を形成する。
【００２３】
上面側内フラップ５は、所定の長さを有し基端縁１０と直角に形成される直線状の前端縁１２と、側壁４の幅の半分の長さを有し基端縁１０と直角に形成される直線状の後端縁１３と、所定の長さを有し後端縁１３と直角に形成される直線状の先端縁１１とを有し、この基端縁１０と後端縁１３を二辺とする矩形形状から、前端縁側先端部１４を切り欠いた形状を有している。
【００２４】
当該上面側内フラップ５は、通常の矩形形状の内フラップと比べ前端縁側先端部１４が切り欠かれている分、軽量化及び省資源化されている。このように段ボール箱１が軽量化されていることによって、当該段ボール箱１又は当該段ボール箱１を形成する段ボールシートの輸送コストを低減させることができる。また、このような軽量化により、輸送時の省エネルギー化及び二酸化炭素等温暖化ガスの排出抑制につながり、環境面への低負荷化を実現することができる。さらには、当該前端縁側先端部１４を切り欠くことによって、当該部分を再資源化することができ、この点においても環境面への負荷を低減することができる。
【００２５】
上面側内フラップ５が、矩形形状から所定の大きさを残して前端縁側先端部１４を切り欠いた形状を有する当該段ボール箱１によれば、段ボール箱１の前壁２側から商品等内容物の出し入れ作業をする際、上面側内フラップ５が外側に完全に開いて静止していない状態でも、切り欠かれた前端縁側先端部１４に作業者の腕や商品等が通ることによって、上面側内フラップ５と腕及び商品等との接触を防ぐことができ、容易に内容物の出し入れ作業を行うことができる。通常の上面側内フラップが矩形形状を有する段ボール箱は、上面側内フラップを外側に完全に開いた状態で静止させておかないと、内容物の出し入れの作業時においてこの上面側内フラップが出し入れの最中の腕や内容物と接触するため、作業の邪魔になり作業効率が低下する。しかしながら、このように前端縁側先端部１４が切り欠いた形状を有する当該上面側内フラップ５を備える段ボール箱１によれば、上記不都合を解消し、効率的な商品等の出し入れ作業を行うことができる。
【００２６】
上面側内フラップ５の先端縁１１は、所定の長さを有し後端縁１３と直角に形成され、このために上面側内フラップ５の後端縁側先端部１５が直角形状を有する。このように、後端縁側先端部１５が直角形状を有する当該上面側内フラップ５によれば、一般的な段ボールシート加工装置を用いた加工成形を容易に行うことができる。一般的な、段ボールシート加工装置は、各フラップの先端直角部分を揃えることにより、段ボールシートの縦横のずれを矯正し、所定の方向に折り目を付けることができる。しかしながら段ボールシートの上面側内フラップ５に直角形状を有する後端縁側先端部１５が存在しないと、段ボールシートの縦横のずれを装置が矯正することができず、斜めに折り目方向等がずれた段ボールシート等の発生による歩留まりの低下等が生じることとなる。従って、当該段ボール箱１が一般的な段ボールシート加工装置を用いた加工成形を容易に行うことができるように、先端縁１１を後端縁１３から一定の長さ残した形状で切り欠くことにより後端縁側先端部１５が直角となるように、上面側内フラップ５が形成されている。
【００２７】
この上面側内フラップ５の先端縁１１の長さの下限としては、３ｃｍ、好ましくは５ｃｍであるとよい。また、先端縁１１の長さの上限としては、当該上面側内フラップ５の基端縁１０の長さの１／２であることが好ましい。この先端縁１１の長さが上記範囲未満であると、加工時における段ボールシートの縦横のずれの矯正が十分に行うことが困難となる。逆にこの先端縁１１の長さが上記範囲を超えると、十分な前端縁側先端部１４の切り欠き面積を確保することができず、段ボール箱１の軽量化及び内容物出し入れ作業の効率化に十分寄与しない。
【００２８】
上面側内フラップ５の前端縁１２は、所定の長さを有し基端縁１０と直角に形成されている。この上面側内フラップ５は、上面側外フラップ６と部分的に重なり合って蓋を形成するとともに、四角筒状部を有する段ボール箱１への押し圧力に対する補強部材ともなっている。従って、段ボール箱の軽量化及び省資源化のために、上面側内フラップを有しない段ボール箱や、前端縁のない三角形状の上面側内フラップを有する段ボール箱では、強度、特に側壁４方向の押し圧力に対する強度が低下する。しかしながら、当該段ボール箱１によれば、上面側内フラップ５の前端縁１２が所定の長さを有していることから側壁４方向の押し圧力に対する強度の低減を防ぐことができる。
【００２９】
この上面側内フラップ５の前端縁１２の長さの下限としては、３ｃｍ、好ましくは５ｃｍであるとよい。また、この上面側内フラップ５の前端縁１２の長さの上限としては、当該上面側内フラップ５の後端縁１３の長さ（前端縁側先端部１４が斬りかかれていない状態の上面側内フラップ５の延出方向長さ）の１／２であることが好ましい。この残された前端縁１２の長さが上記範囲未満であると、押し圧力に対する強度を維持することが困難となり、輸送中の衝撃等による変形などが生じやすくなる。逆にこの残された前端縁１２の長さが上記範囲を超えると、前端縁側先端部１４の十分な切り欠き面積を確保することができず、段ボール箱１の軽量化及び商品等内容物出し入れ作業の効率化に資することが困難となる。
【００３０】
上面側内フラップ５の基端縁１０中点Ｍからの、基端縁１０垂直方向長さ（ｄ）としては、上面側内フラップ５の後端縁１３の長さの１／２以上であるとよい。このように、上面側内フラップ５の基端縁１０中点Ｍからの基端縁１０垂直方向長さ（ｄ）が所定の大きさを有していることで、一般的な従来の段ボール箱自動製函機を用いて製函することができるため作業性に優れ、かつ既存の設備を改良することなく当該段ボール箱１を製造することができる。一般的な段ボール箱自動製函機は、各フラップを内側に折り曲げる際に各フラップの中央部分にアームを当て、このアームを段ボール箱の内側方向に移動させることにより、各フラップを内側に折り曲げる構造を有している。従って、上面側内フラップ５の基端縁１０中点Ｍからの基端縁１０垂直方向長さ（ｄ）が上面側内フラップ５の後端縁１３の長さの１／２以上である当該段ボール箱１によれば、一般的な段ボール箱自動製函機による組み立て工程において、フラップを折り曲げるためのアームが上面側内フラップ５の中央部分に確実に押し当てることができるため、既存の自動製函機を用いて効率的に組み立てられる。
【００３１】
上面側内フラップ５の基端縁１０中点Ｍからの基端縁１０垂直方向長さ（ｄ）の上限としては、上面側内フラップ５の後端縁１３の長さの４／５であるとよい。基端縁１０垂直方向長さ（ｄ）が上記上限を超えると、十分な前端縁側先端部１４の切り欠き面積を確保できず、段ボール箱１の軽量化及び商品等出し入れ作業の効率化を妨げることとなる。
【００３２】
上面側内フラップ５は、前端縁側先端部１４を直線によって切り欠いた形状を有していることが好ましい。上記上面側内フラップ５が、前端縁側先端部１４を直線によって切り欠いた形状を有している場合、当該上面側内フラップ５の強度、ひいては当該段ボール箱１の強度が特に良好に保たれる。更には、前端縁側先端部１４の切り欠きを容易に行うことが可能であるため製造効率が向上する。
【００３３】
上面側外フラップ６及び下面側外フラップ８は、当該段ボール箱１の外側の蓋及び底板を形成する。上面側外フラップ６及び下面側外フラップ８は、側壁４の幅の１／２の延出方向長さを備える矩形形状を有している。このように上面側外フラップ６及び下面側外フラップ８が、側壁４の幅の１／２の延出方向長さを有していることで、上面側外フラップ６及び下面側外フラップ８を四角筒状部の内側に折り込んだ際に、四角筒状部の上面及び下面に隙間又は余分な重なりがなく底板及び蓋が形成され、商品等内容物を当該段ボール箱１に漏れることなく底板の上に入れ、蓋を閉めることができる。
【００３４】
下面側内フラップ７は、下面側外フラップと部分的に重なりあって底板を形成するとともに、当該段ボール箱１の筒状構造への押し圧力に対する補強部材となっている。下面側内フラップ７も、側壁４の幅の１／２の長さの延出方向長さを備える矩形形状を有している。このように、下面側内フラップ７が、側壁４の幅の１／２の延出方向長さを有していることにより、下面側外フラップ８と等しい延出方向長さを有することとなるため、矩形形状の段ボールシートを有効に活用し、段ボール箱１のシート型を採ることができ、効率的に段ボール箱１を形成することができる。
【００３５】
当該段ボール箱１において、前壁２及び後壁３の幅をａ（ｃｍ）、側壁４の幅をｂ（ｃｍ）及び前壁２と後壁３と側壁４の高さをｃ（ｃｍ）、上面側内フラップ５の基端縁１０中点Ｍからの基端縁１０垂直方向長さをｄ（ｃｍ）とした場合に、下記数式（１）及び／又は数式（２）を満たしていることが好ましい。
（１）ｄ＜（ａ＋４）／４
（２）ｂ＜２ｃ
【００３６】
当該段ボール箱１のサイズが上記数式を満たす当該段ボール箱１によれば、作業者は前壁２側の上面側外フラップ６ａのみを開封しただけで容易に当該段ボール箱１内の商品等内容物の確認をすることができる。即ち、当該段ボール箱１によれば、作業者が段ボール箱１を奥まで覗き込む、あるいは両方の上面側外フラップ６を開封することなく内容物の確認をすることができるために作業効率が向上し、更には商品等内容物の取り出し漏れを防ぐことができる。
【００３７】
上記の関係式（１）及び（２）について、図３を用いて詳説する。図３は、封緘状態から前壁２側の上面側外フラップ６ａを垂直に開封した状態を示す段ボール箱１の模式的平面図（ａ）及び模式的断面図（ｂ）である。この図３（ａ）及び（ｂ）において、段ボール箱１前壁２側から対面した際の段ボール箱１の内部の左奥隅をＸ、上面側内フラップ５と後壁３側の上面側外フラップ６ｂとの交点をＹとし、直線ＸＹと前壁２側の上面側外フラップ６ａ（垂直方向に開封された状態）がなす平面との交点をＺとする。
【００３８】
まず、側壁４側との関係について図３（ａ）を参照に説明する。前壁２側の上面側外フラップ６ａのみを垂直方向に開封した状態で、作業者が段ボール箱１の内側まで覗き込まず、段ボール箱１の左奥隅Ｘに何が入っているか、あるいは入っていないかを確認するためには、段ボール箱１を上方向から見た場合において、点Ｚの位置あるいはそれより右側に視点を置く必要が生じる。しかしながら、この点Ｚの位置が右側に大きくずれた場合には、段ボール箱１の右奥隅を同時に視認することができなくなる。段ボール箱１が左右対称である場合、左奥隅Ｘと右奥隅とを同時に視認するためには、点Ｚが上面側外フラップ６の中央より左に位置することが好ましい。但し、点Ｚが上面側外フラップ６の中央より若干右に位置した場合においても、一般成人の両目の間隔が約４ｃｍあるため、段ボール箱１の中心上に位置した場合、点Ｚが上面側外フラップ６の中央より２ｃｍほど右に位置する場合まで、左右両奥隅を同時に視認することができる。
【００３９】
点Ｙは、上面側内フラップ５と後壁３側の上面側外フラップ６ｂとの交点であるため、上面側内フラップ５の基端縁１０から点Ｙまでの長さはｄとなる。また、上面側内フラップ５の基端縁１０から点Ｚ間での長さは２ｄとなる。従って、点Ｚが上記位置関係を満たすように存在するためには、この長さ２ｄが、上面側外フラップ６の長さ（ａ）の半分の長さに２ｃｍを加えた長さ（ａ／２＋２）より短い、すなわちｄ＜（ａ＋４）／４（式（１））、好ましくは、上面側外フラップ６の長さ（ａ）の半分の長さ（ａ／２）より短いすなわちｄ＜ａ／４であるとよい。
【００４０】
当該段ボール箱１は、上面側内フラップ５の前端縁側先端部１４が切り欠いた形状を有している。通常の上面側内フラップが矩形の段ボール箱によれば、前壁２側の上面側外フラップ６ａのみを垂直方向に開封した状態における、上面側内フラップ５と後壁３側の上面側外フラップ６ｂとの交点はＹ’、直線ＸＹ’と前壁２側の上面側外フラップ６ａがなす平面との交点はＺ’となる。当該段ボール箱１における点Ｚの位置を、この点Ｚ’の位置と比較すれば、上面側内フラップ５が前端縁側先端部１４を切り欠いた形状を有しているために、左側に寄った場所に位置することとなる。即ち当該段ボール箱１によれば、上記数式（１）ｄ＜（ａ＋４）／４、あるいはｄ＜ａ／４を満たす構造とすることが容易でありそれ故、作業者が段ボール箱１を奥まで覗き込む、あるいは両方の上面側外フラップ６を開封することなく内容物の確認をすることができるために作業効率が向上し、又商品等内容物の取り出し漏れを防ぐことができる。
【００４１】
次に、後壁３側との関係について図３（ｂ）を参照に説明する。前壁２側の上面側外フラップ６ａのみを垂直方向に開封した状態で、作業者が段ボール箱１の内側まで覗き込まず、段ボール箱１の左奥隅Ｘに何が入っているか、あるいは入っていないかを確認するためには、段ボール箱１を上方向から見た場合、図３（ｂ）において点Ｚの位置あるいはそれより上側に視点を置く必要が生じる。点Ｚの位置が垂直方向に起こした前壁２側の上面側外フラップ６ａの先端縁１１よりも低いと、この前壁２側の上面側外フラップ６ａが作業者の視線を遮り、左奥隅Ｘを視認することができなくなる。従って、点Ｚの位置が垂直方向に起こした前壁２側の上面側外フラップ６ａの先端縁１１よりも高い場合、作業者が段ボール箱１の内側まで覗き込む、あるいは前壁２側の上面側外フラップ６ａを外側に開いて覗き込むことをせずに左奥隅Ｘの位置を視認することができる。
【００４２】
点Ｙは、上面側内フラップ５と後壁３側の上面側外フラップ６ｂとの交点なので、点Ｙの段ボール箱１の底からの高さはｃとなる。点Ｚは点Ｙの２倍の延長位置にあるため、図３（ｂ）に示されるように、点Ｚの段ボール箱１の底からの高さは２ｃとなる。また、側壁４の高さがｃ、上面側外フラップ６の基端縁１０からの延出方向長さが側壁４の幅ｂの半分（ｂ／２）であるため、垂直方向に起こした前壁２側の上面側外フラップ６ａの先端縁１１までの高さは（ｃ＋ｂ／２）である。従って、作業者が段ボール箱１の内側まで覗き込む、あるいは前壁２側の上面側外フラップ６ａを外側に開いて覗き込むことをせずに左奥隅Ｘの位置を視認することができるためには、２ｃ＞ｃ＋ｂ／２、すなわちｂ＜２ｃ（式（２））であることが好ましい。
【００４３】
数式（２）ｂ＜２ｃを満たす当該段ボール箱１によれば、作業者が段ボール箱１の内側まで覗き込む、あるいは前壁２側の上面側外フラップ６ａを外側に開いて覗き込むことをせずに左奥隅Ｘの位置を視認することができる。
【００４４】
なお、本発明の段ボール箱は、上記実施形態に限定されるものではなく、例えば、上面側内フラップは、前端縁側先端部分を凸状曲線によって切り欠いた形状を有していてもよい。上記上面側内フラップが、前端縁側先端部を凸状曲線によって切り欠いた形状を有している場合、商品等内容物の出し入れ作業を行う際の、内容物又は作業者の腕等と上面側内フラップとの接触を最小にすることができ、作業効率が特に向上する。また、切り欠き部分が大きくなるため、当該段ボール箱の軽量化に最も寄与し、環境負荷を特に低減することが可能となる。
【産業上の利用可能性】
【００４５】
以上のように、本発明の段ボール箱によれば、従来の加工組立装置を用いて容易に成形加工することができ、かつ従来の段ボール箱の強度を確保しつつ、商品等内容物の出し入れ作業を効率化し、軽量化及び省資源化されたことにより環境負荷を低減することができる。当該段ボール箱によれば、輸送から商品陳列までの間、複数の商品をまとめて収容する容器として、あるいは家電製品、鉢植え等の重量物商品を販売する際の包装容器等として好適に用いられる。
【符号の説明】
【００４６】
１    段ボール箱
２    前壁
３    後壁
４    側壁
５    上面側内フラップ
６    上面側外フラップ
６ａ  前壁側の上面側外フラップ
６ｂ  後壁側の上面側外フラップ
７    下面側内フラップ
８    下面側外フラップ
９    糊代部
１０  基端縁
１１  先端縁
１２  前端縁
１３  後端縁
１４  前端縁側先端部
１５  後端縁側先端部
Ｌ    上面側内フラップの基端縁の垂直二等分線
Ｍ    上面側内フラップの基端縁の中点
Ｘ    箱内部の左奥隅
Ｙ    上面側内フラップと後壁側の上面側外フラップとの交点
Ｚ    直線ＸＹと垂直に開封された前壁側の上面側外フラップがなす平面との交点
Ｙ’  従来の段ボール箱における上面側内フラップと後壁側の上面側外フラップとの交点
Ｚ’  直線ＸＹ’と垂直に開封された前壁側の上面側外フラップがなす平面との交点
【図１】
2010189047.tif 000003
【図２】
2010189047.tif 000004
【図３】
2010189047.tif 000005